(57)【要約】【課題】浴室ユニットの支持強度に対する軽量化を図ることができる浴室ユニット支持構造を提供すること。【解決手段】浴室ユニット支持構造１−１は、浴室ユニットが鉛直方向に載置されるフレーム２と、フレーム２を支持する複数の支持脚３とを備える。フレーム２は、フレーム部材を複数有する。支持脚３が連結される支持脚フレーム部材２１，２２は、単体で構成される中空形状であり、長手方向と直交する断面における浴室ユニット側の上側部２１ｂ，２２ｂの長さが支持脚側の下側部２１ｃ，２２ｃの長さよりも短く、かつ、下側部２１ｃ，２２ｃから上側部２１ｂ，２２ｂを見た場合に、上側部２１ｂ，２２ｂが下側部２１ｃ，２２ｃにすべて重なる。【選択図】図２
2011231582.tif 000002
【特許請求の範囲】
【請求項１】
浴室ユニットが鉛直方向に載置されるフレームと、
前記フレームを支持する複数の支持脚と、
を備え、
前記フレームは、フレーム部材を複数有し、
少なくとも前記支持脚が連結される支持脚フレーム部材は、単体で構成される中空形状であり、長手方向と直交する断面における前記浴室ユニット側の上側部の長さが前記支持脚側の下側部の長さよりも短く、かつ、前記下側部から前記上側部を見た場合に、前記上側部が前記下側部にすべて重なることを特徴とする浴室ユニット支持構造。
【請求項２】
複数の前記フレーム部材は、水平方向において互いに連結される請求項１に記載の浴室ユニット支持構造。
【請求項３】
前記支持脚フレーム部材は、平板を曲げることで成形されるものであり、
前記平板の短手方向における両端部は、前記上側部に含まれる請求項２に記載の浴室ユニット支持構造。
【請求項４】
前記平板の短手方向における両端部は、結合していない請求項３に記載の浴室ユニット。
【発明の詳細な説明】
【技術分野】
【０００１】
本発明は、浴室ユニット支持構造に関する。
【背景技術】
【０００２】
浴室ユニットを床面に対して支持する構造として、例えば特許文献１に示すように、浴室（浴槽）ユニットの防水パン（洗い場側床）や浴槽をフレームにより支持し、フレームを床面に対して支持脚により支持するものがある。また、例えば特許文献２に示すように、浴室ユニットの防水パンや浴槽を床面に対して支持脚により直接支持するものもある。
【先行技術文献】
【特許文献】
【０００３】
【特許文献１】特開２００４−１７６３２４号公報
【特許文献２】特開平７−４００４号公報
【発明の概要】
【発明が解決しようとする課題】
【０００４】
上記浴室ユニットを支持する構造においては、浴室ユニットを設置する際に、上記フレームなどの運搬、設置を行う観点から、浴室ユニットの支持強度に対する軽量化が要望されている。
【０００５】
本発明は、上記に鑑みてなされたものであって、浴室ユニットの支持強度に対する軽量化を図ることができる浴室ユニット支持構造を提供することを目的とする。
【課題を解決するための手段】
【０００６】
上述した課題を解決し、目的を達成するために、本発明の浴室ユニット支持構造は、浴室ユニットが鉛直方向に載置されるフレームと、前記フレームを支持する複数の支持脚と、を備え、前記フレームは、フレーム部材を複数有し、少なくとも前記支持脚が連結される支持脚フレーム部材は、単体で構成される中空形状であり、長手方向と直交する断面における前記浴室ユニット側の上側部の長さが前記支持脚側の下側部の長さよりも短く、かつ、前記下側部から前記上側部を見た場合に、前記上側部が前記下側部にすべて重なることを特徴とする。
【０００７】
上記浴室ユニット支持構造において、複数の前記フレーム部材は、水平方向において互いに連結されることが好ましい。
【０００８】
上記浴室ユニット支持構造において、前記支持脚フレーム部材は、平板を曲げることで成形されるものであり、前記平板の短手方向における両端部は、前記上側部に含まれることが好ましい。
【０００９】
上記浴室ユニット支持構造において、前記平板の短手方向における両端部は、結合していないことが好ましい。
【発明の効果】
【００１０】
本発明に係る浴室ユニット支持構造によれば、支持脚が連結されるフレーム部材は、断面における浴室ユニット側の上側部の長さが支持脚側の下側部の長さよりも短いので、断面二次モーメントを正方形や長方形などのフレーム部材と比較して高くすることができるので、支持強度を維持しつつ軽量化を図ることができる。
【図面の簡単な説明】
【００１１】
【図１】図１は、実施形態１に係る浴室ユニット支持構造の概略構成例を示す図である。
【図２】図２は、実施形態１に係る浴室ユニット支持構造の一部詳細を示す図である。
【図３】図３は、実施形態１の変形例を示す図である。
【図４】図４は、実施形態１の変形例を示す図である。
【図５】図５は、実施形態２に係る浴室ユニット支持構造の概略構成例を示す図である。
【図６】図６は、実施形態２に係る浴室ユニット支持構造の一部詳細を示す図である。
【図７】図７は、実施形態２の変形例を示す図である。
【図８】図８は、実施形態２の変形例を示す図である。
【発明を実施するための形態】
【００１２】
以下、本発明につき図面を参照しつつ詳細に説明する。なお、下記の実施形態により本発明が限定されるものではない。また、下記の実施形態における構成要素には、当業者が容易に想定できるもの、あるいは実質的に同一のものが含まれる。
【００１３】
[実施形態１]
本実施形態に係る浴室ユニット支持構造は、長手方向と直交する平面での断面形状が等脚台形状で、中空のフレーム部材を備えるものである。図１は、実施形態１に係る浴室ユニット支持構造の概略構成例を示す図である。図２は、実施形態１に係る浴室ユニット支持構造の一部詳細を示す図である。図３は、実施形態１の変形例を示す図である。図４は、実施形態１の変形例を示す図である。
【００１４】
図１および図２に示すように、本実施形態に係る浴室ユニット支持構造１−１は、図示しない浴室ユニットの底部、例えば防水パンあるいは浴槽の少なくともいずれか一方を図示しない床面に対して鉛直方向に支持するものである。浴室ユニット支持構造１−１は、フレーム２と、複数の支持脚３とを備える。
【００１５】
フレーム２は、図示しない浴室ユニットが鉛直方向に載置されるものであり、複数のフレーム部材を有するものである。本実施形態では、フレーム２は、２本の支持脚フレーム部材２１，２２と、２本の連結フレーム部材２３，２４とを有するものである。
【００１６】
支持脚フレーム部材２１，２２は、中空部２１ａ，２２ａを有する中空形状であり、支持脚３が固定されるものである。本実施形態では、支持脚フレーム部材２１，２２は、例えば、鉄板や鋼板などの平板１０をロールフォーミングによる曲げ加工などで折り曲げることで成形される。つまり、支持脚フレーム部材２１，２２は、単体で構成されるものである。支持脚フレーム部材２１，２２は、長手方向と直交する断面において、平板１０が中空部２１ａ，２２ａを囲むように形成されている。支持脚フレーム部材２１，２２は、上側部２１ｂ，２２ｂと、下側部２１ｃ，２２ｃと、左側部２１ｄ，２２ｄと、右側部２１ｅ，２２ｅとを有する。上記断面における上側部２１ｂ，２２ｂの長さＬ１は、下側部２１ｃ，２２ｃの長さＬ２よりも短く設定されている。ここで、上記断面において、上側部２１ｂ，２２ｂの両端部は左側部２１ｄ，２２ｄの一方の端部および右側部２１ｅ，２２ｅの一方の端部と接続され、下側部２１ｃ，２２ｃの両端部は左側部２１ｄ，２２ｄの他方の端部および右側部２１ｅ，２２ｅの他方の端部と接続されている。また、上記断面において、上側部２１ｂ，２２ｂと左側部２１ｄ，２２ｄとのなす角と、上側部２１ｂ，２２ｂと右側部２１ｅ，２２ｅとのなす角は同一であり、下側部２１ｃ，２２ｃと左側部２１ｄ，２２ｄとのなす角と、下側部２１ｃ，２２ｃと右側部２１ｅ，２２ｅとのなす角は同一に設定されている。従って、支持脚フレーム部材２１、２２の上記断面における断面形状は、等脚台形状に形成されている。つまり、上側部２１ｂ，２２ｂは、下側部２１ｃ，２２ｃから上側部２１ｂ，２２ｂを見た場合に、すべてが下側部２１ｃ,２２ｃに重なるように設定されている。
【００１７】
また、支持脚フレーム部材２１，２２は、平板１０の短手方向における両端部１０ａ，１０ｂが上側部２１ｂ，２２ｂに含まれるように、平板１０を折り曲げて成形される。つまり、支持脚フレーム部材２１，２２は、上側部２１ｂ，２２ｂを除いた他の部につなぎ目がない構造となる。また、支持脚フレーム部材２１，２２は、上記両端部１０ａ，１０ｂが結合されていない。つまり、両端部１０ａ，１０ｂは、溶接などで互いに固定されておらず、分離されている。ここで、断面形状がハット形状（略逆Ｖ字形状）のフレーム部材では、浴室ユニット側から荷重がかかると、水平方向の両端部が互いに離れる方向に変形しようとするため、両端部を別のフレーム部材に固定する必要がある。しかしながら、支持脚フレーム部材２１、２２は、浴室ユニット側から荷重がかかると、左側部２１ｄ，２２ｄおよび右側部２１ｅ，２２ｅの支持脚側が互いに離れる方向に変形しようとするが、左側部２１ｄ，２２ｄおよび右側部２１ｅ，２２ｅはつなぎ目のない下側部２１ｃ，２２ｃと接続されているので変形が抑制される。従って、支持脚フレーム部材２１，２２は、ハット形状（略逆Ｖ字形状）のフレーム部材と比較して、単体でも支持強度を維持することができる。また、支持脚フレーム部材２１、２２は、浴室ユニット側から荷重がかかると、左側部２１ｄ，２２ｄおよび右側部２１ｅ，２２ｅの支持脚側が互いに離れる方向に変形しようとすることで、左側部２１ｄ，２２ｄおよび右側部２１ｅ，２２ｅと接続されている上側部２１ｂ，２２ｂが上記断面における両端部が互いに近づく方向に変形しようとする。つまり、上側部２１ｂ，２２ｂに含まれる両端部１０ａ，１０ｂは、浴室ユニット側から荷重がかかると、互いに近づこうとする。従って、両端部１０ａ，１０ｂは、浴室ユニット側から荷重がかかっても、互いに離れる方向に変形しようとしないので、両端部１０ａ，１０ｂを結合しなくても、支持脚フレーム部材２１，２２の支持強度を維持することができる。これにより、支持脚支持フレーム部材２１，２２の製造時に、両端部１０ａ，１０ｂを結合するための工程を削除できるので、製造時間の短縮、コスト低減を図ることができる。
【００１８】
連結フレーム部材２３，２４は、中空部２３ａ，２４ａを有する中空形状であり、支持脚フレーム部材２１，２２に固定されるものである。本実施形態では、連結フレーム部材２３，２４は、上記支持脚フレーム部材２１，２２と同一形状のフレーム部材である。連結フレーム部材２３，２４は、両端部が支持脚フレーム部材２１，２２の左側部２１ｄ，２２ｄあるいは右側部２１ｅ，２２ｅに、溶接Ｓ１により固定される。つまり、フレーム２の複数のフレーム部材は、水平方向において互いに連結される。従って、フレーム部材を鉛直方向において重ねてフレームとする場合と比較して、フレーム２の鉛直方向の高さを低くすることができる。これにより、図示しない床面から浴室ユニットの底部までの鉛直方向の高さを低くすることができ、図示しない浴室ユニットの鉛直方向におけるスペースを確保することができる。また、支持脚フレーム部材２１，２２の左側部２１ｄ，２２ｄおよび右側部２１ｅ，２２ｅは、鉛直方向に平行ではなく傾斜しているため、連結フレーム部材２３，２４が支持脚フレーム部材２１、２２に対して接触する領域を大きく取ることができ、溶接Ｓ１を行う範囲を広く取ることができる。従って、フレーム部材どうしを確実に固定することができ、耐久性や支持強度を向上することができる。なお、連結フレーム部材２３，２４は、長手方向と直交する平面での断面形状が円形、長方形、正方形などであっても良い。また、支持脚フレーム部材２１，２２と、連結フレーム部材２３，２４との固定は、溶接に限られず、リベットなどの固定部材を用いて固定しても良い。
【００１９】
支持脚３は、フレーム２を支持するものである。支持脚３は、支持脚フレーム部材２１，２２の浴室ユニット側と反対側、すなわち支持脚側の面に固定されている。支持脚３は、各支持脚フレーム部材２１，２２にそれぞれ２本ずつ設けられている。支持脚本体３１と、ボルト脚３２と、ロックナット３３とを有する。支持脚本体３１は、一方の端部が支持脚フレーム部材２１，２２に溶接や固定部材を用いて固定される。ここで、支持脚本体３１は、支持脚フレーム部材２１，２２と同一形状のフレーム部材や、円柱部材などが用いられる。支持脚本体３１の他方の端部には、本体側ナット３１ａが溶接や固定部材を用いて固定されている。ボルト脚３２は、ヘッド部３２ａとネジ部３２ｂとを備える。ボルト脚３２は、支持脚本体３１の本体側ナット３１ａにネジ部３２ｂが螺合することで、支持脚本体３１に対して鉛直方向に移動可能である。つまり、支持脚３は、支持脚本体３１からヘッド部３２ａまでの距離を調整することで、フレーム２の図示しない床面までの距離を任意に調整することができる。ロックナット３３は、本体側ナット３１ａと接触させることで、ボルト脚３２の支持脚本体３１に対する回転を規制し、ボルト脚３２の支持脚本体３１に対する鉛直方向への移動を規制するものである。
【００２０】
以上のように、本実施形態に係る浴室ユニットの支持構造１−１では、支持脚フレーム部材２１，２２は、断面における浴室ユニット側の上側部の長さが支持脚側の下側部の長さよりも短く、断面形状が等脚台形状であるので、断面二次モーメントを正方形や長方形などのフレーム部材と比較して高くすることができる。従って、支持脚フレーム部材２１，２２は、支持強度を維持するために断面積を小さくすることができるので、薄肉化あるいは小型化を図ることができる。また、支持脚フレーム部材２１，２２は、ハット形状のフレーム部材のように、支持強度を確保するために他のフレーム部材と固定する必要がなく、単体でも支持強度を維持することができる。従って、フレーム２の軽量化を図ることができ、浴室ユニットの支持構造１−１の軽量化を図ることができる。
【００２１】
なお、上記実施形態では、支持脚フレーム部材２１、２２を構成する平板１０の両端部１０ａ，１０ｂが結合されていないが、例えば図３に示すように、溶接Ｓ２などで互いに結合しても良い。また、上記実施形態では、平板１０の両端部１０ａ，１０ｂの間に隙間が設けられてないが、図４に示すように、隙間Ｐ１を設けても良い。この場合、隙間Ｐ１分の材料を削減することができるので、さらなる軽量化を図ることができる。また、上記実施形態では、支持脚フレーム部材２１，２２の断面形状は、等脚台形状に限定されるものではなく、等脚台形状を除く台形状であっても良い。
【００２２】
[実施形態２]
本実施形態に係る浴室ユニット支持構造は、長手方向と直交する平面での断面形状が凸形状で、中空のフレーム部材を備えるものである。図５は、実施形態２に係る浴室ユニット支持構造の概略構成例を示す図である。図６は、実施形態２に係る浴室ユニット支持構造の一部詳細を示す図である。図７は、実施形態２の変形例を示す図である。図８は、実施形態２の変形例を示す図である。ここで、実施形態２に係る浴室ユニット支持構造１−２の基本的構造は、実施形態１に係る浴室ユニット支持構造１−１と同様であるので、その説明は省略あるいは簡略化する。
【００２３】
フレーム４は、２本の支持脚フレーム部材４１，４２と、２本の連結フレーム部材４３，４４とを有するものである。
【００２４】
支持脚フレーム部材４１，４２は、中空部４１ａ，４２ａを有する中空形状であり、支持脚３が固定されるものである。本実施形態では、支持脚フレーム部材４１，４２は、上記実施形態１と同様に、折り曲げることで成形されることで、単体で構成されるものである。支持脚フレーム部材４１，４２は、長手方向と直交する断面において、平板１１が中空部４１ａ，４２ａを囲むように形成されている。支持脚フレーム部材４１，４２は、上側部４１ｂ，４２ｂと、下側部４１ｃ，４２ｃと、左側部４１ｄ，４２ｄと、右側部４１ｅ，４２ｅとを有する。上記断面における上側部４１ｂ，４２ｂの長さＬ３は、下側部４１ｃ，４２ｃの長さＬ４よりも短く設定されている。ここで、上記断面において、上側部４１ｂ，４２ｂの両端部は左側部４１ｄ，４２ｄの一方の端部および右側部４１ｅ，４２ｅの一方の端部と接続され、下側部４１ｃ，４２ｃの両端部は左側部４１ｄ，４２ｄの他方の端部および右側部４１ｅ，４２ｅの他方の端部と接続されている。また、左側部４１ｄ，４２ｄおよび右側部４１ｅ，４２ｅは、段差部４１ｆ，４２ｆおよび段差部４１ｇ，４２ｇが形成されている。また、上記断面において、上側部４１ｂ，４２ｂと左側部４１ｄ，４２ｄとのなす角、上側部４１ｂ，４２ｂと右側部４１ｅ，４２ｅとのなす角、下側部４１ｃ，４２ｃと左側部４１ｄ，４２ｄとのなす角、下側部４１ｃ，４２ｃと右側部４１ｅ，４２ｅとのなす角は直角であり、段差部４１ｆ，４２ｆおよび段差部４１ｇ，４２ｇの角度も直角である。従って、支持脚フレーム部材４１、４２の上記断面における断面形状は、凸形状に形成されている。つまり、上側部４１ｂ，４２ｂは、下側部４１ｃ，４２ｃから上側部４１ｂ，４２ｂを見た場合に、すべてが下側部４１ｃ,４２ｃに重なるように設定されている。また、支持脚フレーム部材４１，４２は、平板１１の短手方向における両端部１１ａ，１１ｂが上側部４１ｂ，４２ｂに含まれるように、平板１１を折り曲げて成形される。また、支持脚フレーム部材４１，４２は、上記両端部１１ａ，１１ｂが結合されていない。
【００２５】
連結フレーム部材４３，４４は、中空部４３ａ，４４ａを有する中空形状であり、支持脚フレーム部材４１，４２に固定されるものである。本実施形態では、連結フレーム部材４３，４４は、上記支持脚フレーム部材４１，４２と同一形状のフレーム部材である。連結フレーム部材４３，４４は、両端部が支持脚フレーム部材４１，４２の左側部４１ｄ，４２ｄあるいは右側部４１ｅ，４２ｅに、溶接Ｓ３により固定される。つまり、フレーム４の複数のフレーム部材は、水平方向において互いに連結される。従って、上記実施形態１と同様に図示しない浴室ユニットの鉛直方向におけるスペースを確保することができる。また、連結フレーム部材４３，４４は、段差部４１ｆ，４２ｆおよび段差部４１ｇ，４２ｇの形状に併せて固定される。従って、連結フレーム部材４３，４４が支持脚フレーム部材４１、４２に対して接触する領域を大きく取ることができ、溶接Ｓ３を行う範囲を広く取ることができる。また、連結フレーム部材４３，４４は、支持脚フレーム部材４１，４２の間に嵌合するように固定される。これらにより、フレーム部材どうしを確実に固定することができ、耐久性や支持強度を向上することができる。
【００２６】
以上のように、本実施形態に係る浴室ユニットの支持構造１−２では、支持脚フレーム部材４１，４２は、断面における浴室ユニット側の上側部の長さが支持脚側の下側部の長さよりも短く、断面形状が凸形状であるので、断面二次モーメントを正方形や長方形、台形などのフレーム部材と比較して高くすることができる。従って、支持脚フレーム部材４１，４２は、支持強度を維持するために断面積を小さくすることができるので、薄肉化あるいは小型化を図ることができる。従って、フレーム４の軽量化を図ることができ、浴室ユニットの支持構造１−２の軽量化を図ることができる。
【００２７】
なお、上記実施形態では、支持脚フレーム部材４１、４２を構成する平板１１の両端部１１ａ，１１ｂが結合されていないが、例えば図７に示すように、溶接Ｓ４などで互いに結合しても良い。また、上記実施形態では、平板１１の両端部１１ａ，１１ｂの間に隙間が設けられてないが、図８に示すように、隙間Ｐ２を設けても良い。この場合、隙間Ｐ２分の材料を削減することができるので、さらなる軽量化を図ることができる。
【００２８】
また、浴室ユニット支持構造１−１，１−２のフレーム部材の数および支持脚の数は、上記実施形態１，２に限定されるものではなく、支持脚フレーム部材は少なくとも２本以上、連結フレーム部材は１本以上、支持脚はフレームを支持できる本数（例えば、３本以上）であれば、いずれの構造であっても良い。
【産業上の利用可能性】
【００２９】
以上のように、本発明に係る浴室ユニット支持構造は、浴室ユニットを床面に対して支持する構造に有用であり、特に、浴室ユニットの支持強度に対する軽量化を図るのに適している。
【符号の説明】
【００３０】
１−１，１−２  浴室ユニット支持構造
２  フレーム
２１，２２  支持脚フレーム部材
２１ａ，２２ａ  中空部
２１ｂ，２２ｂ  上側部
２１ｃ，２２ｃ  下側部
２１ｄ，２２ｄ  左側部
２１ｅ，２２ｅ  右側部
２３，２４  連結フレーム部材
３  支持脚
３１  支持脚本体
３２  ボルト脚
３３  ロックナット
４  フレーム
４１，４２  支持脚フレーム部材
４１ａ，４２ａ  中空部
４１ｂ，４２ｂ  上側部
４１ｃ，４２ｃ  下側部
４１ｄ，４２ｄ  左側部
４１ｅ，４２ｅ  右側部
４１ｆ，４２ｆ，４１ｇ，４２ｇ  段差部
４３，４４  連結フレーム部材
１０  平板
１０ａ，１０ｂ  端部
【図１】
2011231582.tif 000003
【図２】
2011231582.tif 000004
【図３】
2011231582.tif 000005
【図４】
2011231582.tif 000006
【図５】
2011231582.tif 000007
【図６】
2011231582.tif 000008
【図７】
2011231582.tif 000009
【図８】
2011231582.tif 000010